(57)【要約】【課題】  タンス，食器棚，書籍棚等の家具の扉が地震時に対して、その衝撃で急激に開いてしまうことを防止すると共に、特に観音開きタイプの扉の閉動作において、閉じ完了時に生じる衝撃を緩衝するダンパを極めて簡単に装着すること。【解決手段】  ダンパ１３，１３を着脱自在に装着する２つのダンパ装着部７，７が形成されたホルダ部Ｂと、地震衝撃にて家具の扉をロックする２つの耐震ラッチ部Ａ，Ａとからなり、該２つの耐震ラッチ部Ａ，Ａは並列され、この並列された耐震ラッチ部Ａ，Ａの幅方向両側に前記ダンパ装着部７，７が配置されるようにして前記ホルダ部Ｂが並列された耐震ラッチ部Ａ，Ａに装着され、前記ホルダ部Ｂの両ダンパ装着部７，７の装着孔７ｂ，７ｂには、設置現場の家具の扉２１の閉じ力に応じて緩衝する抵抗力を有する複数のダンパ１３，１３，…のうちの２つを装着可能としてなることを特徴とする耐震ラッチ。【選択図】      図１
2006002375.tif 000002
【特許請求の範囲】
【請求項１】
ダンパを着脱自在に装着する２つのダンパ装着部が形成されたホルダ部と、地震衝撃にて家具の扉をロックする２つの耐震ラッチ部とからなり、該２つの耐震ラッチ部は並列され、この並列された耐震ラッチ部の幅方向両側に前記ダンパ装着部が配置されるようにして前記ホルダ部が並列された耐震ラッチ部に装着され、前記ホルダ部の両ダンパ装着部の装着孔には、設置現場の家具の扉の閉じ力に応じて緩衝する抵抗力を有する複数のダンパのうちの２つを装着可能としてなることを特徴とする耐震ラッチ。
【請求項２】
請求項１において、前記並列する２つの耐震ラッチ部は、接合固着されてなることを特徴とする耐震ラッチ。
【請求項３】
請求項１において、前記並列する２つの耐震ラッチ部は、一体成形による単体とした耐震ラッチ体としてなることを特徴とする耐震ラッチ。
【請求項４】
請求項１，２又は３において、前記並列する２つの耐震ラッチ部、又は耐震ラッチ体と、ホルダ部とは、分離自在な別部材として構成され、設置現場にて一体化して装着されてなることを特徴とする耐震ラッチ。
【請求項５】
請求項１，２，３又は４において、前記ホルダ部は、板状の固定板部と，ダンパのシリンダ部が挿入される装着孔が形成されたダンパ装着部とから構成され、前記固定板部は、前記耐震ラッチ部の上部に配置され、該耐震ラッチ部とともに前記固定板部が家具側に固着自在としてなることを位置してなることを特徴とする耐震ラッチ。
【請求項６】
請求項５において、前記ホルダ部のダンパ装着部は筒形状とし、その長手方向はダンパのシリンダ部よりも長く形成されてなることを特徴とする耐震ラッチ。
【請求項７】
請求項１，２，３又は４において、前記ホルダ部は、２つのダンパ装着部と２つの取付係止部とから構成され、一方の取付係止部は前記並列する２つの耐震ラッチ部、又は耐震ラッチ体の外側面を支持する外方支持部と、耐震ラッチ部の幅方向両側に形成された補強リブに係止する係止爪状部とから構成され、一方の取付係止部はダンパ装着部の側面に一体的に形成され、他方の取付係止部は腕状部を介して前記ダンパ装着部より離間した位置に形成されてなることを特徴とする耐震ラッチ。
【請求項８】
請求項１，２，３又は４において、前記ホルダ部は、ダンパ装着部と係止ブロックとから構成され、該係止ブロックには、前記並列する２つの耐震ラッチ部、又は耐震ラッチ体の補強リブが挿入する２つの外側係止溝と、前記補強リブ間に形成された中間補強リブが挿入する中間係止溝が形成されてなることを特徴とする耐震ラッチ。
【請求項９】
２つのダンパを装着するホルダ部と、地震衝撃にて扉をロックする並列する２つの耐震ラッチ部、又は２つの耐震ラッチ部を一体成形による単体としてなる耐震ラッチ体とからなり、前記ホルダ部は前記並列する２つの耐震ラッチ部又は前記耐震ラッチ体に一体的に成形され、前記ホルダ部には、設置現場の家具の扉の閉じ力に応じて緩衝する抵抗力を有する複数のダンパのうちの１つを装着可能としてなることを特徴とする耐震ラッチ。
【発明の詳細な説明】
【技術分野】
【０００１】
本発明は、タンス，食器棚，書籍棚等の家具の扉が地震時に対して、その衝撃で急激に開いてしまうことを防止すると共に、扉の閉動作において、閉じ完了時に生じる衝撃を緩衝するダンパを極めて簡単に装着することができる耐震ラッチに関する。
【背景技術】
【０００２】
従来より、タンス，食器棚，書籍棚等の水平方向に揺動して開閉する扉を有する家具において、地震時にその震動の衝撃で扉が急激に開き、収納されている物品が外部に飛び出し、これが２次的な災害となって、人を危険にさらすことになる。このような、地震による衝撃によって、家具の扉が急激に開いてしまうことを防止するための耐震装置が種々開発されている。このような耐震装置において、特に、地震時の衝撃による球体の転動を利用したものが種々存在している。これは、地震時の振動を感知して静止状態の球体が転動し、その転動による移動にて、耐震装置内に組み込まれた被作動部材が球体の動作に追従して可動するように設定しておき、その被作動部材が家具の扉に装着された係止部材と係止するようにしたものである。これによって、家具の扉を閉じ状態でロックし、地震時に扉がいきなり開いてしまう事態を防止することができる。
【０００３】
球体の転動を利用した耐震装置は、地震の揺れを敏感に感知して動作するので、地震時には確実に家具の扉のロックを行うことができる利点があるが、その反面、揺れの小さな小規模の地震であっても、敏感に感知してしまい、転動してロックをかけてしまうことがあり得る。これによって、家具の扉が開かない程度の衝撃以下の地震でもロックがかかってしまうことになり、そのロックをいちいち解除しなければならず、かえって不便となることもある。これは、なにも地震による揺れに限らず、家具の置き場所を変更するために、僅かに移動するのみであっても、耐震装置のロックがかかってしまうことがあり、そのロック解除がより一層面倒となるものである。
【０００４】
また、家具の中には、強制的に扉を閉め方向に付勢して扉閉めを行なうためにスプリング，板バネ等の弾性体を装着した蝶番が存在する。このような蝶番を使用した場合には、扉が家具本体に確実に閉じることができるが、蝶番に内装された弾性体の弾性力が強すぎたり、或いは扉が軽量な場合には、その扉が閉じるときに勢い良く家具本体に衝突してしまうことがある。
【０００５】
特に、扉の閉じ動作が完了する瞬間が最もスイング速度が最大となり、その閉じたときの反動により扉が再度開く方向にスイングする。このような場合に、扉が閉じた瞬間に衝撃が発生し、耐震装置のロックが誤動作してしまうおそれが十分にある。このようなことを防止する目的として、特許文献１に示されているように、ダンパが具備されたものが存在している。
【特許文献１】特開２００３−１７２０６０
【発明の開示】
【発明が解決しようとする課題】
【０００６】
前述したような、扉に閉じ力を与える蝶番に対して、家具に装着されるダンパには、種々の抵抗力を有するものが存在し、扉の閉じ力に応じて適正なものが使用されなければならない。すなわち、蝶番の弾性による閉じ力に対してダンパの抵抗力が小さすぎたり、大きすぎる場合には、いずれも衝撃緩衝の役に立たない。特に、ダンパの抵抗力が大きすぎると、扉が完全に閉まりにくくなり、扉の閉まりが悪くなってしまう。このようなことから、蝶番による扉の閉じ力に応じて、適正な抵抗力を有し、且つ良好なる衝撃緩衝が得られるダンパが選択されなければならない。
【０００７】
特許文献１では、感震ロックには予めダンパが装着されたものであるが、そのダンパの抵抗力に適応する蝶番が設けられた家具にしか使用できないという不便な点が存在している。すなわち、組立工場等において、感震ロックにダンパが装着されるため、たとえば、その感震ロックを家具設置現場に持ってゆき、家具に装着しても、蝶番による弾性的な閉じ力とダンパの抵抗力とのバランスが一致するとは限らないものである。本発明の目的は、扉を強制的に閉じる蝶番による閉じ力に対して、いかなる場合にも適正なダンパが装着された耐震ラッチを提供することにある。
【課題を解決するための手段】
【０００８】
そこで、発明者は上記課題を解決すべく、鋭意研究を重ねた結果、本発明を、ダンパを着脱自在に装着する２つのダンパ装着部が形成されたホルダ部と、地震衝撃にて家具の扉をロックする２つの耐震ラッチ部とからなり、該２つの耐震ラッチ部は並列され、この並列された耐震ラッチ部の幅方向両側に前記ダンパ装着部が配置されるようにして前記ホルダ部が並列された耐震ラッチ部に装着され、前記ホルダ部の両ダンパ装着部の装着孔には、設置現場の家具の扉の閉じ力に応じて緩衝する抵抗力を有する複数のダンパのうちの２つを装着可能としてなる耐震ラッチとしたことにより、上記課題を解決したものである。      
【０００９】
次に、前述の構成において、前記並列する２つの耐震ラッチ部は、接合固着されてなる耐震ラッチとしたり、前記並列する２つの耐震ラッチ部は、一体成形による単体とした耐震ラッチ体としたことにより、上記課題を解決したものである。さらに、前述の構成において、前記並列する２つの耐震ラッチ部、又は耐震ラッチ体と、ホルダ部とは、分離自在な別部材として構成され、設置現場にて一体化して装着されてなる耐震ラッチとしたことにより、上記課題を解決したものである。
【００１０】
さらに、前述の構成において、前記ホルダ部は、板状の固定板部と，ダンパのシリンダ部が挿入される装着孔が形成されたダンパ装着部とから構成され、前記固定板部は、前記耐震ラッチ部の上部に配置され、該耐震ラッチ部とともに前記固定板部が家具側に固着自在としてなる耐震ラッチとしたことにより、上記課題を解決したものである。また、前記ホルダ部のダンパ装着部は筒形状とし、その長手方向はダンパのシリンダ部よりも長く形成されてなる耐震ラッチとしたことにより、上記課題を解決したものである。
【００１１】
次に、前記ホルダ部は、２つのダンパ装着部と２つの取付係止部とから構成され、一方の取付係止部は前記並列する２つの耐震ラッチ部、又は耐震ラッチ体の外側面を支持する外方支持部と、耐震ラッチ部の幅方向両側に形成された補強リブに係止する係止爪状部とから構成され、一方の取付係止部はダンパ装着部の側面に一体的に形成され、他方の取付係止部は腕状部を介して前記ダンパ装着部より離間した位置に形成されてなる耐震ラッチとしたことにより、上記課題を解決したものである。
【００１２】
前記ホルダ部は、ダンパ装着部と係止ブロックとから構成され、該係止ブロックには、前記並列する２つの耐震ラッチ部、又は耐震ラッチ体の補強リブが挿入する２つの外側係止溝と、前記補強リブ間に形成された中間補強リブが挿入する中間係止溝が形成されてなる耐震ラッチとしたことにより、上記課題を解決したものである。
【００１３】
次に、２つのダンパを装着するホルダ部と、地震衝撃にて扉をロックする並列する２つの耐震ラッチ部、又は２つの耐震ラッチ部を一体成形による単体としてなる耐震ラッチ体とからなり、前記ホルダ部は前記並列する２つの耐震ラッチ部又は前記耐震ラッチ体に一体的に成形され、前記ホルダ部には、設置現場の家具の扉の閉じ力に応じて緩衝する抵抗力を有する複数のダンパのうちの１つを装着可能としてなる耐震ラッチとしたことにより、上記課題を解決したものである。
【発明の効果】
【００１４】
請求項１の発明によれば、現場に設置された家具の扉の弾性的な閉じ力に応じて、この閉じ力を十分に緩衝しうる抵抗力を有する複数のダンパの中から適正な抵抗力を有するものを選択して、ホルダ部に装着することができる。このように、家具設置現場にて、耐震ラッチと複数のダンパとの組み合わせができることにより、強制的な閉じ力を備えた蝶番の閉じ力に応じて、種々の抵抗力を有するダンパを簡単に対応させることができる。
【００１５】
また、工場での耐震ラッチの製造に当たり、無駄な生産を防ぎながら、現場においては多種類の抵抗力を有する耐震ラッチのなかから適宜、選択して組み立てることができる。これによって、耐震ラッチ部に誤動作が極めて生じにくいものとすることができるとともに、扉の閉じ動作における衝撃緩衝が極めて良質なる家具にすることができる。さらに、２つの耐震ラッチ部が並列して備わっているので、特に観音開きタイプの扉を有する家具本体に装着する場合には、観音式扉の両方にそれぞれ装着するという面倒なことがなく、取付けを極めて簡易且つ迅速とし、極めて効率的な作業にすることができる。また、２つの耐震ラッチ部が並列して備わっていることにより、取付けを安定させることができるものである。
【００１６】
次に、請求項２の発明によれば、２つの耐震ラッチ部Ａ，Ａを接合固着しているので、２つの耐震ラッチ部Ａ，Ａの扱いが極めて簡単であり、よって家具への組付けも極めて簡単且つ効率的にできる。次に、請求項３の発明によれば、２つの耐震ラッチ部Ａ，Ａを一体成形して、単体の耐震ラッチ体Ａ0 としたので、耐震ラッチを構成する部品点数を少なくすることができる。また家具への組付けが簡単にできる。さらに、２つの耐震ラッチ部Ａ，Ａは筺体部等の構成部材の一部は共有する部分が存在するので、コストも低く押さえることができる。
【００１７】
次に、請求項４の発明によれば、並列する２つの耐震ラッチ部又は耐震ラッチ体と、ホルダ部とを分離自在な別部材としているので、家具の設置現場で一体化させることにより、従来タイプの耐震ラッチをそのまま使用して、ホルダ部を家具に装着することができ、既設の耐震ラッチを無駄にしないで本発明を構成することができる。また、予備のホルダ部を常備しておけば、ラッチ部又はホルダ部のいずれかが損傷しても、補修，修繕及び交換等の作業を行ないやすいものにできる。
【００１８】
次に請求項５の発明によれば、前記ホルダ部は、板状の固定板部と，ダンパのシリンダ部が挿入される装着孔が形成されたダンパ装着部とから構成されたものであり、固定板部が前記並列する２つの耐震ラッチ部又は耐震ラッチ体の上部に配置され、前記並列する２つの耐震ラッチ部又は耐震ラッチ体とともに前記固定板部が家具側に固着されるので、固定板部が家具と並列する２つの耐震ラッチ部又は耐震ラッチ体との間に挟持された状態となり、ダンパが装着される最も衝撃を受ける箇所を強固にすることができる。
【００１９】
次に、請求項６の発明によれば、前記ホルダ部のダンパ装着部は筒形状とし、その長手方向をダンパのシリンダ部よりも長く形成したので、ダンパを極めて安定した状態で支持するとができるものである。次に、請求項７の発明によれば、前記ホルダ部に形成された取付係止部と前記ホルダ部に腕状部を介して設けられた取付係止部とにより、前記並列する２つの耐震ラッチ部又は耐震ラッチ体の外周に装着することができるので、予め家具に装着された耐震ラッチ部にあとでホルダ部のみを装着することができる。
【００２０】
次に、請求項８の発明によれば、前記ホルダ部の係止ブロックは補強リブが挿入する２つの外側係止溝と、前記補強リブ間に形成された中間補強リブ６が挿入する中間係止溝が形成された極めて簡単な形状のものであり、耐震ラッチ部への装着も極めて簡単にすることができるものである。次に、請求項９の発明によれば、ホルダ部と耐震ラッチ部又は耐震ラッチ体が一体成形されることにより、耐震ラッチ全体を極めてコンパクトにまとめることができ、省スペース化を実現できる。
【発明を実施するための最良の形態】
【００２１】
以下、本発明を図面に基づいて説明する。まず、本発明は、主に耐震ラッチ部Ａとホルダ部Ｂとから構成されている。また実際に使用するときには、被係止部材２２が付加される。本発明では、前記耐震ラッチ部Ａは、２つ備えられ、並列させて使用される。その耐震ラッチ部Ａは、筺体部１，揺動フック部２及び球体３から構成されている。その筺体部１は、底面部１ａ，前方側部１ｂ，後方側部１ｃ及び左右の両立上り側部１ｄ，１ｄとから構成されている。これらによって図１（Ｂ），図８，図１０（Ａ）等に示すように、略直方体，立方体等の筺形状に形成され、内部の形状も略直方体や立方体の空間が構成されるように形成されている。
【００２２】
その筺体部１の上部は、開口部となっており、後述する球体３，揺動フック部２を収納し、且つキャップ材４が装着されるものである。ここで、前記筺体部１の前方側部１ｂは、図３（Ａ）又は図２に示すように、その耐震ラッチ部Ａ（後述する耐震ラッチ体Ａ0 も含む）がホルダ部Ｂと共に家具本体２０に装着された状態で、外方に向かうように設置され、後方側部１ｃは家具本体２０の奥側に向かって位置するものである。
【００２３】
次に、揺動フック部２は、図８（Ｂ），（Ｃ）に示すように、感知部２ｂとフックレバー部２ａとから構成される。その感知部２ｂは、外周側より略中央箇所に向かって扁平状に凹む受面２ｂ1 を下面側に有している。さらに、前記感知部２ｂから外方に突出するフックレバー部２ａが形成されている。該フックレバー部２ａは、フック片２ａ1 とレバー部２ａ2 とから構成され、該レバー部２ａ2 の先端すなわち端部箇所にフック片２ａ1 が形成されている。該フック片２ａ1 は、鉤形状をなしており、後述する被係止部材２２のループ状部２２ａに引掛かり易い形状となっている（図３，図１１等参照）。前記レバー部２ａ2 は、前記感知部２ｂとの付け根箇所から外方に向かって一旦、上方に少し傾斜し、その上端箇所から略水平状に外方に延びるようにして形成されている。このように、感知部２ｂとフックレバー部２ａとは一体的に形成された剛性体である。
【００２４】
前記感知部２ｂの受面２ｂ1 は、図１１（Ａ）乃至（Ｃ）に示すように、筺体部１の底面部１ａに配置された球体３と当接するようにして配置される。そして、前記球体３が底面部１ａの静止位置に位置し、前記感知部２ｂの受面２ｂ1 と球体３が当接した状態で、感知部２ｂ及びフックレバー部２ａが水平状態になっている。この水平状態とは揺動フック部２が後述する被係止部材２２と係止しない状態である〔図１１（Ａ）参照〕。
【００２５】
前記前方側部１ｂには、図８（Ａ），図１１に示すように、切除部１ｂ1 が形成され、後述する揺動フック部２のフックレバー部２ａが前記筺体部１内から外部に突出するための部位となっている。前記切除部１ｂ1 は、略方形状に形成され、揺動フック部２のフックレバー部２ａの揺動動作がスムーズに行われるものである。また、前記両立上り側部１ｄ，１ｄで且つ前方側部寄りには、揺動フック部２の揺動中心部となる軸受溝１ｈ，１ｈが形成されている。該軸受溝１ｈ，１ｈは、略Ｕ字形状に形成されたものであり、その軸受溝１ｈ，１ｈの下端は円弧状終端部となっており、該円弧状終端部に後述する揺動フック部２の枢支突起２ｃが回動自在に装着される。前記円弧状終端部の位置は、立上り側部の高さ方向の略中間位置となっている。
【００２６】
その筺体部１の前方側部１ｂの上端箇所で且つ幅方向両側端箇所には、図１（Ｂ），図８に示すように、前方側に突出するように２本の固定用支持部１ｅ，１ｅが形成されている。該固定用支持部１ｅ，１ｅは、前記筺体部１をタンス，棚等の家具本体２０側（収納側）に装着するための部位であり、前記固定用支持部１ｅ，１ｅには、ビス等の固着具用の貫通孔１ｆ，１ｆが形成されている。また前記固定用支持部１ｅ，１ｅと前方側部１ｂ及び両立上り側部１ｄ，１ｄとの間には、図８（Ａ），（Ｄ）に示すように、補強用リブ５，５が形成されることもあり、これによって前記筺体部１をより一層強固に家具本体２０に装着することができる。
【００２７】
また、前記補強用リブ５，５の中間には、図８（Ａ），（Ｄ）に示すように、中間補強リブ６が形成されている。これらのリブは、板状に形成されており、耐震ラッチ部Ａの正面側に扉の被係止部以外のものが不用意に当たらないようにする役目もなしている。また、筺体部１の上部に位置する開口箇所には、段部が形成され、後述するキャップ材４が開口箇所に適正な状態で装着されるようになっている〔図８（Ａ）参照〕。
【００２８】
上記耐震ラッチ部Ａは、図１（Ｂ），図２（Ｂ）に示すように、２つが並列に配置され、且つ２つの耐震ラッチ部Ａ，Ａの筺体部１，１同士が接合される。具体的には、前記２つの筺体部１，１の対向する立上り側部１ｄ，１ｄ同士が接着剤等により接合固着される。又は、両立上り側部１ｄ，１ｄがビス等の固着具を使用して接合固着しても構わない。また、２つの耐震ラッチ部Ａ，Ａは、図１２に示すように、両筺体部１，１同士を接合固着しないで、単に隣接させるのみで、後述するホルダ部Ｂと組み合わせて使用することもある。
【００２９】
さらに、２つの耐震ラッチ部Ａ，Ａが一体化されて単体としたものが存在する（図９，図１０参照）。この単体としたものを以下耐震ラッチ体Ａ0 と称する。この耐震ラッチ体Ａ0 において、２つの筺体部１，１が単体となるように一体成形されて筺体部材Ａ1 としたものである。さらに具体的には、この単体とした筺体部材Ａ1 は、底面部１ａ，前方側部１ｂ，後方側部１ｃ及び左右の両立上り側部１ｄ，１ｄとから構成され、図１０（Ａ），（Ｂ）に示すように、略直方体の筺形状を形成し、筺体部１内部の空間形状も略直方体状に形成されている。
【００３０】
そして、その筺体部材Ａ1 の上部は、開口部となっており、２つの揺動フック部２，２及び２つの球体３，３がを収納され、キャップ材４が装着されるものである。その筺体部材Ａ1 には、仕切り壁部１ｇが形成されている。この仕切り壁部１ｇは、筺体部材Ａ1 の内部を２つの等しい大きさの部屋に仕切るものである〔図１０（Ｃ）参照〕。すなわち、耐震ラッチ体Ａ0 とは、前記仕切り壁部１ｇを介して２つの耐震ラッチ部Ａ，Ａが並列状態に接合されたものといえる。また、前記固定用支持部１ｅ，１ｅのうちで、２つの揺動フック部２，２の間に形成されたものは、耐震ラッチ体Ａ0 の幅方向両側に形成されたものよりも、幅が広く形成されることになる。またこの中央箇所に位置する固定用支持部１ｅには、貫通孔１ｆが１又は２つ以上形成されることになるが、取付け強度から見て４つが好適である。
【００３１】
その筺体部材Ａ1 の仕切り壁部１ｇにより仕切られたそれぞれの部屋には、前述したように、前記揺動フック部２のフックレバー部２ａが前記筺体部１内から外部に突出するための切除部１ｂ1 が形成され、また、前記揺動フック部２の揺動中心となる軸受溝１ｈ，１ｈが形成されている（図１０参照）。この耐震ラッチ体Ａ0 の開口部に被せるキャップ材４は、仕切り壁部１ｇにより仕切られた両室を被覆することができる１枚部材としてあるが、第１タイプにおけるようにそれぞれの部屋を単独で被覆する２つのキャップ材４，４としても構わない。
【００３２】
次に、ホルダ部Ｂは、種々のタイプが存在するものであり、その第１タイプは、図１（Ａ），（Ｂ）に示すように、２つのダンパ装着部７，７と、１枚の固定板部８とから構成される。このホルダ部Ｂは、プラスチック等の合成樹脂から形成される。その固定板部８は、略平板状に形成され、前記耐震ラッチ部Ａの上部箇所で、且つ前記キャップ材４上に配置されるものである。前記固定板部８には、２乃至４つ程度の固定用貫通孔８ａ，８ａ，…が形成されている。
【００３３】
両固定用貫通孔８ａ，８ａ，…の間隔は、前記耐震ラッチ部Ａの固着具用の貫通孔１ｆ，１ｆ，…の間隔と等しくなっている。また、両ダンパ装着部７，７は、前記固定板部８の幅方向端部箇所で且つ下面側に位置して形成される。それぞれのダンパ装着部７は、その全体の形状が略筒形状又は管状をなし、装着筒部７ａに装着孔７ｂが形成されたものである。その装着孔７ｂは略円筒状通路孔となっており、図１（Ａ），（Ｄ）に示すように、前記ダンパ１３のシリンダ部１３ａが挿入されるようになっている。前記ダンパ装着部７の長手方向の長さは、ダンパ１３のシリンダ部１３ａの長さと略同等か、或いはシリンダ部１３ａよりも長く形成されている。
【００３４】
これによって、ダンパ１３のシリンダ部１３ａは長手方向に沿ってその全体が支持されることとなる。ホルダ部Ｂは、図１（Ａ），図２等に示すように、耐震ラッチ部Ａの上部箇所に配置されて、家具本体２０の収納内部の天井の開口側に装着される。具体的には、固定板部８が耐震ラッチ部Ａの上部のキャップ材４を覆うようにして配置され、固定板部８の複数の固定用貫通孔８ａ，８ａ，…と、耐震ラッチ部Ａの複数の貫通孔１ｆ，１ｆ，…同士の位置を一致させて、ビス等の固着具を介して家具本体２０の収納内部の天井に固着される。このとき、前記固定板部８は、家具本体２０の天井と並列する２つの耐震ラッチ部Ａ又は単体とした耐震ラッチ体Ａ0 との間に挟持される構造となる。
【００３５】
また、２つのダンパ装着部７，７は、図２（Ａ），（Ｂ），図９（Ｂ）に示すように、並列するそれぞれ耐震ラッチ部Ａ，Ａ又は耐震ラッチ体Ａ0 の外方側に隣接した状態となり、さらに具体的には、ダンパ装着部７は耐震ラッチ部Ａ又は耐震ラッチ体Ａ0 の上部寄りに配置されることになる。したがって、ダンパ装着部７は、図２に示すように、家具本体２０の天井に最も近接した位置となる。これによって、ダンパ装着部７の装着孔７ｂの位置も家具本体２０の天井に近接しており、その装着孔７ｂに装着されるダンパ１３は家具本体２０の天井に近接した位置に設置することができる。これによって、ダンパ１３が扉２１の閉じ力によって受ける衝撃がホルダ部Ｂに及ぼすモーメントを小さくすることができ、ホルダ部Ｂを耐久性のあるものにできる。
【００３６】
そのホルダ部Ｂの第２タイプとしては、図４（Ａ）に示すように、２つのダンパ装着部７，７と、取付係止部９と腕状部１０とから構成されたものである。その取付係止部９は、図４（Ａ）に示すように、前記ダンパ装着部７の長手方向の略中央箇所に形成されたものである。取付係止部９は、外方支持部９ａと係止爪状部９ｂとからなり、外方支持部９ａに対して係止爪状部９ｂは、略折り返し形状に形成されたものである。この取付係止部９は、ホルダ部Ｂに２個形成されており、一方は前述したように前記ダンパ装着部７側に一体的に形成されたものである〔図４（Ｂ）参照〕。
【００３７】
２つのダンパ装着部７，７は前記腕状部１０を介して連結形成されたものである。前記ダンパ装着部７側に形成される取付係止部９において、その外方支持部９ａは、扁平凹み状に形成され、また係止爪状部９ｂはそのダンパ装着部７側から突出するように形成されている。そして、２つのダンパ装着部７，７と腕状部１０とで前記並列する耐震ラッチ部Ａ，Ａの両筺体部１，１又は耐震ラッチ体Ａ0 の筺体部材Ａ1 の後方外周を囲むようにして固定される〔図４（Ｂ）参照〕。
【００３８】
そして、前記取付係止部９が前記筺体部１に形成された補強リブを前記外方支持部９ａと係止爪状部９ｂとで挟持するようにして係止され、ホルダ部Ｂが耐震ラッチ部Ａに装着される。ここで、取付係止部９の外方支持部９ａと係止爪状部９ｂとにより補強リブに対する挟持力をより一層強固にすることで、ホルダ部Ｂを耐震ラッチ部Ａに対して極めて強固に固定することができる。
【００３９】
次に、ホルダ部Ｂの第３タイプとしては、図５（Ａ）に示すように、２つのダンパ装着部７，７と，係止ブロック１１とから構成されるものである。前記ダンパ装着部７は、第１，第２タイプと同様の構成をなしている。その係止ブロック１１は、図５（Ｂ），図６（Ａ），（Ｂ）等に示すように、前記補強用リブ５，５及び中間補強リブ６，６，…との間に上下方向に挟持されるようにして固定されるものであり、前記補強用リブ５，５が挿入する外側係止溝１１ａ，１１ａと、中間補強リブ６，６，…が挿入する中間係止溝１１ｂとを有している。前記外側係止溝１１ａ，１１ａと前記中間係止溝１１ｂとは、上下方向に互い違いとなるように形成され、前記補強用リブ５，５及び中間補強リブ６に耐震ラッチ部Ａと正面側より挿入するようにして、固定されるものである。
【００４０】
すなわち、係止ブロック１１の中間においては、中間補強リブ６にて支持され、その両側の外側係止溝１１ａ，１１ａに補強用リブ５，５を挿入させることにより極めて安定した状態でホルダ部Ｂを装着することができるようになっている。この第３タイプのホルダ部Ｂの変形例として、外側係止溝１１ａ，１１ａの形成箇所付近には、図７（Ａ），（Ｂ）に示すように、外止め突起１２，１２が形成されることもある。該外止め突起１２，１２は、前記補強リブの前後方向における後端縁に係止することにより、ホルダ部Ｂが耐震ラッチ部Ａから外れにくくするものである。以上の第１乃至第３タイプのホルダ部Ｂは、耐震ラッチ部Ａと分離自在な別部材として構成されたものである。これによって、耐震ラッチ部Ａとホルダ部Ｂとを分離自在な別部材とすることにより、前記耐震ラッチ部Ａとホルダ部Ｂとは、設置現場にて一体化して装着することが可能となる。そして、従来タイプの耐震ラッチをそのまま使用して、ホルダ部を家具に装着することができ、既設の耐震ラッチを利用して、ホルダ部Ｂを装着することができる。このように、既設の耐震ラッチ等を無駄にしないで本発明を構成することができる。
【００４１】
次に、ホルダ部Ｂの第４タイプとしては、前記並列する耐震ラッチ部Ａ，Ａの筺体部１又は耐震ラッチ体Ａ0 の筺体部材Ａ1 の幅方向両側箇所に一体的に形成されたものである。前記ダンパ装着部７は、略直方体の筒状に形成されたものであり、前述したように、装着孔７ｂが形成されている。そのダンパ装着部７は、耐震ラッチ部Ａの側面部に一体的に形成されたり〔図１３（Ａ），（Ｂ）参照〕、或いは筺体部１の底部１ａの下面側に一体的に形成されるものである〔図１３（Ｃ），（Ｄ）参照〕。
【００４２】
ホルダ部Ｂのダンパ装着部７の装着孔７ｂの開口内周には、扁平の円周の凹み状に形成された鍔受面７ｃが形成されることもある〔図１（Ｄ），図４（Ｂ），図６（Ａ）等参照〕。該鍔受面７ｃは、ダンパ１３のシリンダ部１３ａに形成された鍔部１３ｃが適正に配置されるようになっている。すなわち、ダンパ装着部７側におけるダンパ１３を装着孔７ｂに適正な状態で挿入するためのストッパ面としての役目をなすものである。
【００４３】
次に、ダンパ１３は、図１（Ａ），（Ｄ）に示すように、シリンダ部１３ａ，ピストン部１３ｂ及び鍔部１３ｃから構成される。該鍔部１３ｃは、シリンダ部１３ａのピストン部１３ｂの出入側の周囲に形成されており、前述のホルダ部Ｂにおけるダンパの装着孔７ｂの開口周囲に形成された鍔受面７ｃに納まるようになっている。シリンダ部１３ａ内には、粘性を有する流体及びスプリング材が設けられており、流体の流れとスプリングの弾性により、ピストン部１３ｂが弾性的に作動する。このダンパ１３には、ピストン部１３ｂによる抵抗力が、通常では、「大」，「中」，「小」の３種類のものが存在する〔図１（Ａ），図５（Ａ）等参照〕。そして、この３種類のダンパ１３を家具の設置現場にて、最適のものを選択して、そのシリンダ部１３ａを前記ホルダ部Ｂのダンパ装着部７の装着孔７ｂに挿入して使用するものである。
【００４４】
本発明は、前述したように、並列する耐震ラッチ部Ａ，Ａ（耐震ラッチ体Ａ0 を含む）とホルダ部Ｂとから構成されるものであるが、その並列する耐震ラッチ部Ａ，Ａ（耐震ラッチ体Ａ0 ）は、上述したような、金属製の球体を使用したタイプのもの以外であっても構わない。これは、ホルダ部Ｂがいかなる種類の耐震ラッチであっても、ホルダ部Ｂが装着可能な形状であれば、上記実施形態の並列する２つの耐震ラッチ部Ａ，Ａ又は耐震ラッチ体Ａ0 以外のものでも、本発明における耐震ラッチ部Ａ又は耐震ラッチ体Ａ0 とするものである。
【００４５】
家具本体２０の扉２１は、蝶番により開閉するものである。扉２１の蝶番は、その扉２１に対して、強制的に閉じさせるもので、扉２１には閉じ力がかかる。この扉２１の閉じ力は、蝶番に組み込まれたスプリング等の弾性部材により閉じ方向に付勢されたものである。すなわち、扉２１を閉じ方向に一定範囲に亘って移動させると、前記蝶番に組み込まれた弾性部材により扉２１は強制的に閉じる。このような蝶番としては、スライド蝶番が存在する。上記閉じ力は、その閉じるときに家具本体２０又は前記ダンパに衝突するときの力である。この閉じ力は、蝶番に組み込まれた弾性部材の弾性力により変化する。特に閉じ力が大きな場合には、扉２１が家具本体２０に衝突したときに大きな衝撃がかかり、扉２１をロック状態にしてしまう〔図１１（Ｂ），（Ｃ）参照〕。
【００４６】
前述した扉２１の種々の閉じ力に応じて、種々の抵抗力を有する複数のダンパ１３，１３，…が備えられている。これらのダンパ１３，１３，…は、設置現場の家具の扉２１に装着された蝶番による閉じ力に対して、最も良好な状態で扉２１の衝突時の衝撃を吸収することができるものを選択して、ホルダ部Ｂに選択されたダンパ１３が装着される。本発明では、このように、家具が設置されている現場において、耐震ラッチを家具本体２０に装着し、その扉２１の閉じ力に応じて複数のダンパのうちで最も適したものを装着することで、その家具の扉２１の開閉を極めて良好なものとし、且つ地震対策を行なうことができる。ダンパ１３は、通常，抵抗力が「大」，「中」，「小」の３種類を備えておくことが選択が容易にできることから好ましいものである。
【００４７】
その被係止部材２２は、図３（Ｂ）に示すように、ループ状部２２ａと取付固定部２２ｂとから構成されている。この被係止部材２２は、金属材から形成されているが、強度に優れたものであるならば、合成樹脂製でも構わない。前記取付固定部２２ｂは、扉２１にビス等の固着具を介して固着される部位である。また、前記ループ状部２２ａは、前記揺動フック部２のフック片２ａ1 が係止することができる部位である〔図１１（Ｂ），（Ｃ）参照〕。
【００４８】
本発明の耐震ラッチを家具本体２０に装着するには、家具本体２０の開口部上端箇所に前記筺体部１又は筺体部材Ａ1 が装着される。また、扉２１には、被係止部材２２が固着される。耐震ラッチと被係止部材２２との位置関係は、図１１（Ａ）に示すように、耐震ラッチが自然状態（地震が発生していない状態）のときにループ状部２２ａは、耐震ラッチの揺動フック部２のフック片２ａ1 より少し下方に位置している。そして、地震発生時に揺動フック部２が揺動して、フックレバー部２ａが下降し、フック片２ａ1 が被係止部材２２のループ状部２２ａに係止することにより、扉２１が閉じた状態でロックされるものである〔図１１（Ｂ），（Ｃ）参照〕。
【００４９】
その地震発生時では、前記揺動フック部２のフックレバー部２ａが下方に下がり、フック片２ａ1 が被係止部材２２に係止されて、扉２１が開かないようにロックされるものである。また、地震が終了すると、前記球体３は、前記底面部１の低位置箇所に移動して、ロック状態が解除されるものである。
【図面の簡単な説明】
【００５０】
【図１】（Ａ）は第１タイプのホルダ部を備えた耐震ラッチと大，中，小の抵抗力を有する複数のダンパの斜視図、（Ｂ）はラッチ部とホルダ部との分離した斜視図、（Ｃ）はダンパ装着部の縦断側面図、（Ｄ）はダンパを装着した状態のダンパ装着部の縦断側面図である。
【図２】（Ａ）はダンパ付きの耐震ラッチを家具本体に装着した要部斜視図、（Ｂ）は（Ａ）の正面図、（Ｃ）は（Ａ）の縦断側面図である。
【図３】（Ａ）は本発明を家具本体に装着した斜視図、（Ｂ）は扉に装着された被係止部材の斜視図、（Ｃ）は本発明が装着された家具の天井箇所を省略した略示平面図である。
【図４】（Ａ）は第２タイプのホルダ部と耐震ラッチ部と大，中，小の抵抗力を有する複数のダンパとの分離した斜視図、（Ｂ）は第２タイプのホルダ部をラッチ部に装着した状態の横断平面図である。
【図５】（Ａ）は第３タイプのホルダ部と耐震ラッチ部と大，中，小の抵抗力を有する複数のダンパとの分離した斜視図、（Ｂ）はラッチ部に第３タイプのホルダ部を装着した斜視図である。
【図６】（Ａ）はラッチ部に第３タイプのホルダ部を装着した状態の横断平面図、（Ｂ）は第３タイプのホルダ部を装着したラッチ部を家具本体上部に取り付けた正面図である。
【図７】（Ａ）は第３タイプのホルダ部の変形例の斜視図、（Ｂ）は第３タイプのホルダ部の変形例をラッチ部に装着した状態の要部横断平面図である。
【図８】（Ａ）はラッチ部の分解斜視図、（Ｂ）は揺動フック部を下方より見た斜視図、（Ｃ）は（Ｂ）のＸ1 −Ｘ1 矢視断面図、（Ｄ）ラッチ部の斜視図である。
【図９】（Ａ）は第１タイプのホルダ部と２つの耐震ラッチ部を一体化して単体とした耐震ラッチ体との分離した斜視図、（Ｂ）は家具本体に装着した状態の正面図である。
【図１０】（Ａ）は耐震ラッチ体の分解斜視図、（Ｂ）は筺体部の平面図、（Ｃ）は（Ｂ）のＸ2 −Ｘ2 矢視断面図である。
【図１１】（Ａ）はラッチ部の自然状態の縦断側面図、（Ｂ）は球体が後方側に移動した状態の縦断側面図、（Ｃ）は球体が前方側に移動した状態の縦断側面図である。
【図１２】２つの筺体部を接合固着しないで単に隣接させるのみでホルダ部に組み合わせて使用するタイプの分離した斜視図である。
【図１３】（Ａ）は第４タイプのホルダ部が耐震ラッチ部の側面部に一体的に形成された斜視図、（Ｂ）は（Ａ）の正面図、（Ｃ）は第４タイプのホルダ部が耐震ラッチ部の底部下面側に一体的に形成され斜視図、（Ｄ）は（Ｃ）の正面図である。
【符号の説明】
【００５１】
Ａ…耐震ラッチ部，Ａ0 …耐震ラッチ体，Ｂ…ホルダ部，５…補強用リブ，
６…中間補強リブ，７…ダンパ装着部，７ｂ…装着孔，８…固定板部，９…取付係止部，９ａ…外方支持部，９ｂ…係止爪状部，１０…腕状部，１１…係止ブロック，
１１ａ…外側係止溝，１１ｂ…中間係止溝。
【図１】
2006002375.tif 000003
【図２】
2006002375.tif 000004
【図３】
2006002375.tif 000005
【図４】
2006002375.tif 000006
【図５】
2006002375.tif 000007
【図６】
2006002375.tif 000008
【図７】
2006002375.tif 000009
【図８】
2006002375.tif 000010
【図９】
2006002375.tif 000011
【図１０】
2006002375.tif 000012
【図１１】
2006002375.tif 000013
【図１２】
2006002375.tif 000014
【図１３】
2006002375.tif 000015